(57)【要約】【課題】情報コードから読み取った所定の情報を装飾性を高めるように表示し得る情報コード読取システムおよび情報コードを提供する。【解決手段】情報コード読取システム１０では、管理会社それぞれにて表示可能な複数種類の絵文字のうち共通のイメージを認識させる絵文字同士が変換用番号に対応付けて定められるテーブルが設けられている。また、情報コードＣは、所定の情報が絵文字を記録するための第１領域と絵文字と異なる文字を記録するための第２領域とに区分け可能であって、第１領域に変換用番号が記録されるように構成されている。そして、携帯端末２０では、変換用番号を第１領域に記録した情報コードＣがデコードされると、当該変換用番号について上記テーブルにて対応付けられた絵文字が第２領域に記録される数字や英字等の絵文字と異なる文字とともに表示される。【選択図】図３
2015130130.tif 000002
【特許請求の範囲】
【請求項１】
所定の情報がコード化された情報コードと、
前記情報コードを光学的に読み取り可能であって、管理される管理会社ごとに表示可能な絵文字が異なる情報コード読取装置と、
を備える情報コード読取システムであって、
前記管理会社それぞれにて表示可能な複数種類の絵文字のうち共通のイメージを認識させる絵文字同士が特定の番号に対応付けて定められるテーブルを備え、
前記情報コードは、
前記所定の情報が前記絵文字を記録するための第１領域と前記絵文字と異なる文字を記録するための第２領域とに区分け可能であって、前記第１領域に前記特定の番号が記録されるように構成され、
前記情報コード読取装置は、
前記情報コードを撮像する撮像手段と、
前記撮像手段により撮像された前記情報コードに基づいて前記所定の情報をデコードするデコード手段と、
前記デコード手段により得られた情報を表示可能な表示手段と、
前記表示手段による表示内容を制御する制御手段と、を備え、
前記制御手段は、前記特定の番号を前記第１領域に記録した情報コードが前記デコード手段によりデコードされると、当該特定の番号について前記テーブルにて対応付けられた絵文字が前記第２領域に記録される文字とともに表示されるように前記表示手段を制御することを特徴とする情報コード読取システム。
【請求項２】
前記制御手段は、前記テーブルにて絵文字が対応付けられていない前記特定の番号が前記デコード手段によりデコードされると、表示不能な絵文字であることを示す情報が前記第２領域に記録される文字とともに表示されるように前記表示手段を制御することを特徴とする請求項１に記載の情報コード読取システム。
【請求項３】
管理される管理会社ごとに表示可能な絵文字が異なり前記管理会社にて表示可能な複数種類の絵文字のうち共通のイメージを認識させる絵文字同士が特定の番号に対応付けて定められるテーブルを備える情報コード読取装置により、所定の情報が光学的に読み取られる情報コードであって、
前記所定の情報は、前記絵文字を記録するための第１領域と前記絵文字と異なる文字を記録するための第２領域とに区分け可能であって、前記第１領域に前記特定の番号が記録されるように構成されることを特徴とする情報コード。
【発明の詳細な説明】
【技術分野】
【０００１】
本発明は、情報コード読取システムおよび情報コードに関するものである。
【背景技術】
【０００２】
従来、所定の情報を容易に取得するための手段として、バーコードや二次元コード等の情報コードが様々な分野で利用されている。このような情報コードの作成に関する技術として、下記特許文献１に開示される２次元コード印刷装置が知られている。この２次元コード印刷装置では、コンピュータ装置のエディタ表示画面におけるラベル作成作業領域に印刷枠が設けられている。そして、エディタ表示画面上にて、印刷枠の中のテキストボックスに文字列が入力された後に２次元コードに変換する文字列が範囲指定されることで、範囲指定された文字列がコード化された２次元コードと範囲指定されなかった残りの文字列とがテキストボックスに表示される。その状態で印刷ボタンをクリックすることで、２次元コードと残りの文字列とが一体になったラベルが作成される。これにより、２次元コードと人間が認識できる文字列とが一体となるように自動的に印刷されたラベルを作成することができる。
【先行技術文献】
【特許文献】
【０００３】
【特許文献１】特開２００８−０８０５８８号公報
【発明の概要】
【発明が解決しようとする課題】
【０００４】
ところで、表示画面を有する情報コード読取装置を用いて情報コードを撮像すると、その撮像した情報コードから読み取った所定の情報がその表示画面に表示される。そして、その表示された所定の情報に基づく処理を実施する場合には、情報コードを利用した様々なサービスを享受することができる。
【０００５】
しかしながら、表示画面に表示されている所定の情報は、その情報コードを作成者に関するＵＲＬ情報など、単なる英字や数字の羅列であることが多い。このため、その表示された所定の情報に基づく様々な処理が実施できても、表示された所定の情報そのものは単調であって装飾性に乏しいという問題がある。
【０００６】
本発明は、上述した課題を解決するためになされたものであり、その目的とするところは、情報コードから読み取った所定の情報を装飾性を高めるように表示し得る情報コード読取システムおよび情報コードを提供することにある。
【課題を解決するための手段】
【０００７】
上記目的を達成するため、特許請求の範囲の請求項１に記載の発明は、所定の情報がコード化された情報コード（Ｃ）と、前記情報コードを光学的に読み取り可能であって、管理される管理会社ごとに表示可能な絵文字が異なる情報コード読取装置（２０）と、を備える情報コード読取システム（１０）であって、前記管理会社それぞれにて表示可能な複数種類の絵文字のうち共通のイメージを認識させる絵文字同士が特定の番号に対応付けて定められるテーブルを備え、前記情報コードは、前記所定の情報が前記絵文字を記録するための第１領域と前記絵文字と異なる文字を記録するための第２領域とに区分け可能であって、前記第１領域に前記特定の番号が記録されるように構成され、前記情報コード読取装置は、前記情報コードを撮像する撮像手段（２２）と、前記撮像手段により撮像された前記情報コードに基づいて前記所定の情報をデコードするデコード手段（２１）と、前記デコード手段により得られた情報を表示可能な表示手段（２５）と、前記表示手段による表示内容を制御する制御手段（２１）と、を備え、前記制御手段は、前記特定の番号を前記第１領域に記録した情報コードが前記デコード手段によりデコードされると、当該特定の番号について前記テーブルにて対応付けられた絵文字が前記第２領域に記録される文字とともに表示されるように前記表示手段を制御することを特徴とする。
なお、上記各括弧内の符号は、後述する実施形態に記載の具体的手段との対応関係を示すものである。
【発明の効果】
【０００８】
請求項１の発明では、管理会社それぞれにて表示可能な複数種類の絵文字のうち共通のイメージを認識させる絵文字同士が特定の番号に対応付けて定められるテーブルが設けられている。また、情報コードは、所定の情報が絵文字を記録するための第１領域と絵文字と異なる文字を記録するための第２領域とに区分け可能であって、第１領域に上記特定の番号が記録されるように構成されている。そして、情報コード読取装置では、特定の番号を第１領域に記録した情報コードがデコードされると、当該特定の番号について上記テーブルにて対応付けられた絵文字が第２領域に記録される文字とともに表示される。
【０００９】
これにより、第２領域に記録される文字を第１領域に記録された特定の番号にて対応付けられた絵文字により装飾することができるため、情報コードから読み取った所定の情報を装飾性を高めるように表示することができる。特に、情報コードの作成者は、作成した情報コードを読み取る情報コード読取装置がどの管理会社により管理されているかを意識することなく、表示させたいイメージを認識させる絵文字に対応する特定の番号を第１領域に記録するように情報コードを作成すればよい。このため、絵文字を表示可能な情報コードを容易に作成することができる。
【００１０】
請求項２の発明では、テーブルにて絵文字が対応付けられていない特定の番号がデコード手段によりデコードされると、制御手段により、表示不能な絵文字であることを示す情報が第２領域に記録される文字とともに表示されるように表示手段が制御される。
【００１１】
例えば、上記テーブルにて他の管理会社では絵文字が対応付けられているがその情報コードを読み取った情報コード読取装置を管理する管理会社では絵文字が対応付けられていない特定の番号がデコードされる場合がある。このような場合であっても、表示不能な絵文字であることを示す情報が第２領域に記録される文字とともに表示される。これにより、第１領域に記録された特定の番号が絵文字に対応付けられていない情報コード読取装置を用いて読み取られる場合でも、読み取りエラーとして第２領域に記録される文字までもが表示されなくなることをなくすことができる。
【００１２】
請求項３の発明では、情報コードは、管理会社にて表示可能な複数種類の絵文字のうち共通のイメージを認識させる絵文字同士が特定の番号に対応付けて定められるテーブルを備える情報コード読取装置により、所定の情報が光学的に読み取られるように構成されている。この所定の情報は、絵文字を記録するための第１領域と絵文字と異なる文字を記録するための第２領域とに区分け可能であって、第１領域に上記特定の番号が記録されるように構成されている。
【００１３】
これにより、情報コードを読み取った情報コード読取装置により、第２領域に記録される文字を第１領域に記録された特定の番号にて対応付けられた絵文字により装飾するように表示することで、読み取られる所定の情報を装飾性を高めるように表示可能な情報コードを実現することができる。特に、情報コードの作成者は、作成した情報コードを読み取る情報コード読取装置がどの管理会社により管理されているかを意識することなく、表示させたいイメージを認識させる絵文字に対応する特定の番号を第１領域に記録するように情報コードを作成すればよい。このため、絵文字を表示可能な情報コードを容易に作成することができる。
【図面の簡単な説明】
【００１４】
【図１】本実施形態に係る情報コード読取システムの概略構成を示す説明図である。
【図２】図１の携帯端末の電気的構成を概略的に示すブロック図である。
【図３】各管理会社にて共通のイメージを認識させる絵文字同士と変換用番号との関係を示すテーブルの説明図である。
【図４】情報コード化するために入力された文字を例示する説明図である。
【図５】図４に例示する文字を符号化したコードワードを説明する説明図である。
【図６】携帯端末で行われる情報コード作成処理の流れを例示するフローチャートである。
【図７】携帯端末で行われる情報コード読取処理の流れを例示するフローチャートの一部である。
【図８】携帯端末で行われる情報コード読取処理の流れを例示するフローチャートの一部である。
【図９】図５のコードワードに対応する情報コードを読み取った場合の表示内容を説明する説明図である。
【発明を実施するための形態】
【００１５】
以下、本発明の情報コード読取システムおよび情報コードを具現化した一実施形態について、図面を参照して説明する。なお、図１は、本実施形態に係る情報コード読取システム１０の概略構成を示す説明図である。図２は、図１の携帯端末２０の電気的構成を概略的に示すブロック図である。
【００１６】
図１に示す情報コード読取システム１０は、用紙等の表示媒体Ｍに表示された情報コードＣを光学的に読み取るだけでなく情報コードＣを作成可能な情報コード読取装置を複数備えている。具体的には、情報コード読取システム１０は、上記情報コード読取装置として、契約した通信事業者（管理会社）が提供する無線回線を介した無線通信が利用可能な携帯端末２０を、複数備えている。
【００１７】
携帯端末２０は、例えば、カメラ機能を有するスマートフォン等の携帯電話に対して所定のアプリケーションプログラムをインストールすることで、入力される情報に応じて情報コードＣを作成し、他の携帯端末２０にて作成された情報コードＣを撮像して所定の情報を読み取るように構成されている。
【００１８】
図２に示すように、携帯端末２０は、携帯電話としての通常の通話処理や通信処理に加えて、カメラ機能を有する撮像部２２からの画素信号に基づいて撮像された情報コードＣの読取処理等に関する制御を司る制御部２１を備えている。この制御部２１は、マイコンを主体として構成されるものであり、ＣＰＵ、システムバス、入出力インタフェース等を有し、記憶部２３とともに情報処理装置として機能している。記憶部２３は、ＲＯＭ、ＲＡＭ、不揮発性メモリなどの公知の半導体メモリなどによって構成されており、この記憶部２３には、通話機能や通信機能を実現するための所定プログラム等に加えて、上述した所定のアプリケーションプログラムが、制御部２１により実行可能に予め格納されている。なお、制御部２１は、「制御手段」の一例に相当し、撮像部２２は、「撮像手段」の一例に相当し得る。
【００１９】
また、携帯端末２０は、操作部２４と、表示部２５と、通信部２６とを備えている。操作部２４は、複数のキー等により構成されており、制御部２１に対してキー操作に応じた情報を入力する機能を有するものである。表示部２５は、液晶等から構成されており、制御部２１により制御されて、情報コードを読み取った結果等の所定の情報をその表示画面２５ａに表示する機能を有するものである。通信部２６は、制御部２１により制御されて、上記無線回線を介した無線通信を行う機能を有するものである。なお、表示部２５は、「表示手段」の一例に相当し得る。
【００２０】
次に、本発明の特徴的構成について、図３〜図５を参照して説明する。なお、図３は、各管理会社にて共通のイメージを認識させる絵文字同士と変換用番号との関係を示すテーブルの説明図である。図４は、情報コード化するために入力された文字を例示する説明図である。図５は、図４に例示する文字を符号化したコードワードを説明する説明図である。なお、図３では、共通のイメージを認識させる絵文字同士の一部として、１２種類の絵文字同士を例示している。
【００２１】
本実施形態に係る携帯端末２０では、管理される管理会社ごとに表示可能な絵文字が異なる。すなわち、図３に示すように、管理会社として、例えば、Ａ社、Ｂ社およびＣ社の３社が想定される場合には、管理会社ごとに共通のイメージを認識させる絵文字が異なることとなる。
【００２２】
例えば、Ａ社が管理する携帯端末を用いて所望の絵文字に関連付けられた管理番号を含むように情報コードを作成する場合、この情報コードを同じＡ社が管理する携帯端末を用いて読み取ると、読み取った管理番号から表示すべき絵文字を特定することができる。一方、上述のような管理番号を共有していないＢ社やＣ社では、読み取った管理番号から表示すべき絵文字を特定することができない。このため、どの管理会社が管理する携帯端末にて読み取られるか予測できない情報コードでは、読み取った携帯端末にて絵文字が特定されない場合があり、この場合には、読み取った所定の情報を絵文字で装飾性を高めるように表示することができないという問題が生じる。
【００２３】
そこで、本実施形態では、図３に示すように、管理会社それぞれにて表示可能な複数種類の絵文字のうち共通のイメージを認識させる絵文字同士を共通の特定の番号として用意される変換用番号に対応付けている。そして、管理会社それぞれにて表示可能な複数種類の絵文字のうち共通のイメージを認識させる絵文字同士が変換用番号に対応付けて定められるテーブル（図３参照）が用意されており、このテーブルは、各携帯端末２０の記憶部２３にそれぞれ予め記憶されている。
【００２４】
また、本実施形態に係る情報コードＣは、例えば、ＱＲコード（登録商標）として構成されており、後述する携帯端末２０による情報コード作成処理により、所定の情報として入力された数字、英字および絵文字等を含めた多種の文字が符号化されてコードワードが作成される。このコードワードは、モード指示子、文字数指示子およびデータ文字列を一組として複数組配列されて最後にターミネータが配列されるように構成される。モード指示子としては、データ文字列が数字であることを示す数字モードと、データ文字列が英字であることを示す英字モードと、データ文字列が漢字であることを示す漢字モードと、データがバイナリ形式であることを示すバイナリモードと、データ文字列が絵文字であることを示す絵文字モードとが用意されている。また、文字数指示子は、データ文字列の桁数を示すものである。
【００２５】
そして、絵文字のデータ文字列には、その絵文字に対応する変換用番号（図３参照）が配列される。例えば、Ａ社が管理する携帯端末２０を用いて、図４に例示するように入力された数字、英字および絵文字からなる文字を符号化すると、図５に示すようなコードワードが作成されることとなる。すなわち、情報コードＣのコードワードは、絵文字を記録するためのデータ文字列（第１領域ともいう）と、数字や英字等の絵文字と異なる文字を記録するためのデータ文字列（第２領域ともいう）とに区分け可能であって、上記第１領域に上記変換用番号が記録されるように構成されている。
【００２６】
そして、各携帯端末２０では、記憶部２３に予め記憶されている上記テーブルを用いて後述する情報コード読取処理を実施することで、読み取った変換用番号からその携帯端末２０にて表示可能な絵文字が特定され、この絵文字が数字や英字等の他の文字とともに表示される。
【００２７】
これにより、Ａ社が管理する携帯端末２０を用いて絵文字を含むように作成した情報コードＣについて、Ｂ社が管理する他の携帯端末２０で読み取った場合にでも、共通のイメージを認識させる似通った絵文字を表示させることができる。
【００２８】
以下、上述した情報コード作成処理および情報コード読取処理について詳述する。なお、情報コード化が可能な文字として、数字、英字、漢字、バイナリ形式、および絵文字の５種類が用意されており、Ａ社が管理する携帯端末２０を用いて情報コードが作成される場合を例に説明する。
まず、絵文字を含めた文字がコード化された情報コードＣを作成する情報コード作成処理について、図６および上述した図４，図５を参照して説明する。なお、図６は、携帯端末２０で行われる情報コード作成処理の流れを例示するフローチャートである。
【００２９】
Ａ社が管理する携帯端末２０の制御部２１にて所定のプログラムを実行することで情報コード作成処理が開始されると、図６のステップＳ１０１に示す文字入力処理がなされる。この処理では、情報コードＣとしてコード化を所望する文字の入力を促す情報が表示部２５の表示画面２５ａに表示され、操作部２４の入力操作に応じた数字、英字および絵文字の入力を待つ待機状態となる。
【００３０】
そして、操作部２４の入力操作に応じて、数字、英字および絵文字等の文字が入力されると、ステップＳ１０３に示すコードワード作成処理がなされる。この処理では、入力された文字に応じたコードワードが作成される。図４に例示するような数字、英字および絵文字が入力された場合には、図５に例示するような配列にてコードワードが作成されることとなる。
【００３１】
続いて、ステップＳ１０５に示す出力処理がなされる。この処理では、上述のように作成されたコードワードに基づいて作成される情報コードを表示するための情報が通信部２６を介してプリンタ等の外部機器に出力される。この外部機器等を利用して、情報コードＣが表示媒体Ｍに対して印刷等により表示されることとなる。
【００３２】
次に、撮像した情報コードＣをデコードすることで絵文字を含めた文字を表示する情報コード読取処理について、図７〜図９を参照して説明する。なお、図７および図８は、携帯端末２０で行われる情報コード読取処理の流れを例示するフローチャートである。図９は、図５のコードワードに対応する情報コードＣを読み取った場合の表示内容を説明する説明図であり、図９（Ａ）は、Ｂ社が管理する携帯端末２０での表示内容を示し、図９（Ｂ）は、Ａ社が管理する携帯端末２０での表示内容を示し、図９（Ｃ）は、Ｃ社が管理する携帯端末２０での表示内容を示し、図９（Ｄ）は、他の管理会社が管理する携帯端末２０での表示内容を示す。また、以下の説明では、図４および図５に例示するようにＡ社が管理する携帯端末２０を用いて作成されて表示媒体Ｍに表示された情報コードＣを、Ｂ社が管理する携帯端末２０を用いて読み取る場合を例に説明する。なお、情報コード読取処理を実行する制御部２１は、「デコード手段」の一例に相当し得る。
【００３３】
Ｂ社が管理する携帯端末２０の撮像部２２にて表示媒体Ｍに表示された情報コードＣを撮像可能な状態にて制御部２１にて所定のプログラムを実行することで情報コード読取処理が開始されると、図７のステップＳ２０１に示す撮像処理がなされる。この処理では、撮像部２２により情報コードＣを含む画像データが生成される。続いて、ステップＳ２０３に示すコードワード取得処理がなされる。この処理では、生成された画像データから情報コードに相当するコード画像が抽出され、この抽出されたコード画像の明暗セルの配列に基づいてコードワードが取得される。
【００３４】
このようにコードワードが取得されると、ステップＳ２０５，Ｓ２０７および図８のＳ２０９，Ｓ２１１，Ｓ２１３にて、コードワードの先頭に位置するモード指示子が、数字モード、英字モード、漢字モード、バイナリモードおよび絵文字モードのいずれであるかについて判定される。図５に例示するコードワードが取得されている場合には、先頭に数字モードを示すモード指示子が配列されているため（Ｓ２０５でＹｅｓ）、先頭の文字を表示するための情報として、データの桁数（図５では１桁）が取得された後（Ｓ２１５）、その桁数に応じた数のデータ文字列（図５では「３」に相当するデータ）が取得されて、数字に展開される（Ｓ２１７）。
【００３５】
そして、データ文字列の次にターミネータが配列されていなければ（Ｓ２４１でＮｏ）、ステップＳ２０５からの処理が繰り返される。図５に例示するコードワードが取得されている場合には、データ文字列の次に英字モードを示すモード指示子が配列されているため（Ｓ２０５でＮｏ、Ｓ２０７でＹｅｓ）、次の文字を表示するための情報として、データの桁数（図５では３桁）が取得された後（Ｓ２１９）、その桁数に応じた数のデータ文字列（図５では「Ｓ」「Ｕ」「Ｎ」に相当するデータ）が取得されて、英字に展開される（Ｓ２２１）。
【００３６】
このデータ文字列の後には、図５に示すように、絵文字モードを示すモード指示子が配列されているため（Ｓ２４１，Ｓ２０５，Ｓ２０７，Ｓ２０９，Ｓ２１１でＮｏ、Ｓ２１３でＹｅｓ）、絵文字を表示するための情報として、データの桁数（図５では１桁）が取得された後（Ｓ２３１）、その桁数に応じた数のデータ文字列（図５では「０１」）が上記変換用番号として取得される（Ｓ２３３）。
【００３７】
続いて、ステップＳ２３５に示す判定処理にて、記憶部２３に記憶されるテーブルにおいて、上述のように取得された変換用番号に対応する絵文字が存在するか否かについて判定される。Ｂ社が管理する携帯端末２０を用いて読み取っているため、取得された変換用番号に対応する絵文字が存在することから（Ｓ２３５でＹｅｓ）、該当するＢ社専用の絵文字に展開される（Ｓ２３７）。
【００３８】
そして、このデータ文字列の後には、図５に示すように、ターミネータが配列されているため（Ｓ２４１でＹｅｓ）、デコードが完了し、ステップＳ２４３に示す表示処理がなされる。この処理では、これまでに展開された各文字が、デコード結果として表示画面２５ａに表示される。
【００３９】
上述したように、Ｂ社が管理する携帯端末２０を用いて読み取っている場合には、図９（Ａ）に示すように、数字および英字に加えてＢ社特有の絵文字を含めた文字が、デコード結果として表示画面２５ａに表示される。
【００４０】
なお、例えば、Ａ社が管理する携帯端末２０を用いて読み取っている場合には、図９（Ｂ）に示すように、数字および英字に加えてＡ社特有の絵文字を含めた文字が、デコード結果として表示画面２５ａに表示される。また、Ｃ社が管理する携帯端末２０を用いて読み取っている場合には、図９（Ｃ）に示すように、数字および英字に加えてＣ社特有の絵文字を含めた文字が、デコード結果として表示画面２５ａに表示される。
【００４１】
また、例えば、異なる管理会社が管理する携帯端末２０を用いて読み取っており、記憶部２３に記憶されるテーブルにおいて、上述のように取得された変換用番号に対応する絵文字が存在しない場合がある。この場合には（Ｓ２３５でＮｏ）、表示不能な絵文字であることを示す情報として、絵文字に代えて「・」が展開される（Ｓ２３９）。
【００４２】
この場合には、図９（Ｄ）に示すように、数字および英字に加えて「・」が、デコード結果として表示画面２５ａに表示されることとなる。なお、上記テーブル自体が記憶部２３に記憶されていない場合にも、ステップＳ２３５にてＮｏと判定することで、絵文字を除く数字や英字の他の文字を表示することができる。
【００４３】
なお、例えば、上記ステップＳ２０３にて取得されたコードワードに漢字モードが含まれていることから漢字モードを示すモード指示子の配列が確認されると（Ｓ２０９でＹｅｓ）、その文字を表示するための情報として、データの桁数が取得された後（Ｓ２２３）、その桁数に応じた数のデータ文字列が取得されて、漢字に展開される（Ｓ２２５）。また、上記ステップＳ２０３にて取得されたコードワードにバイナリモードが含まれていることからバイナリモードを示すモード指示子の配列が確認されると（Ｓ２１１でＹｅｓ）、その文字を表示するための情報として、データの桁数が取得された後（Ｓ２２７）、その桁数に応じた数のデータ文字列が取得されて、バイナリに展開される（Ｓ２２９）。
【００４４】
また、デコードが失敗したことからコードワードが取得されない場合や情報コードの撮像に失敗した場合等には、上記ステップＳ２１３にてＮｏと判定されて、文字表示がなされることなく、本情報コード読取処理が終了する。
【００４５】
なお、第２領域に記録される数字や英字等が、ＵＲＬ情報など他の処理に利用可能な情報である場合には、その情報を利用した処理（例えば、ＵＲＬ情報を利用したウェブサイトへの接続等）を実施することができる。
【００４６】
以上説明したように、本実施形態に係る情報コード読取システム１０では、管理会社それぞれにて表示可能な複数種類の絵文字のうち共通のイメージを認識させる絵文字同士が変換用番号（特定の番号）に対応付けて定められるテーブルが設けられている。また、情報コードＣは、所定の情報が絵文字を記録するための第１領域と絵文字と異なる文字を記録するための第２領域とに区分け可能であって、第１領域に変換用番号が記録されるように構成されている。そして、携帯端末２０では、変換用番号を第１領域に記録した情報コードＣがデコードされると、当該変換用番号について上記テーブルにて対応付けられた絵文字が第２領域に記録される数字や英字等の絵文字と異なる文字とともに表示される。
【００４７】
これにより、第２領域に記録される数字や英字等を第１領域に記録された変換用番号にて対応付けられた絵文字により装飾することができるため、情報コードＣから読み取った所定の情報を装飾性を高めるように表示することができる。特に、情報コードＣの作成者は、作成した情報コードＣを読み取る携帯端末２０がどの管理会社により管理されているかを意識することなく、表示させたいイメージを認識させる絵文字に対応する変換用番号を第１領域に記録するように情報コードＣを作成すればよい。このため、絵文字を表示可能な情報コードＣを容易に作成することができる。
【００４８】
特に、テーブルにて絵文字が対応付けられていない変換用番号が上記情報コード読取処理によりデコードされると、制御部２１により、表示不能な絵文字であることを示す情報として「・」が第２領域に記録される数字や英字等とともに表示されるように表示部２５が制御される。
【００４９】
例えば、上記テーブルにて他の管理会社では絵文字が対応付けられているがその情報コードＣを読み取った携帯端末２０を管理する管理会社では絵文字が対応付けられていない変換用番号がデコードされる場合がある。このような場合であっても、表示不能な絵文字であることを示す情報として「・」が第２領域に記録される数字や英字等とともに表示される。これにより、第１領域に記録された変換用番号が絵文字に対応付けられていない携帯端末２０を用いて読み取られる場合でも、読み取りエラーとして第２領域に記録される数字や英字等までもが表示されなくなることをなくすことができる。
【００５０】
なお、表示不能な絵文字であることを示す情報として「・」を表示することに限らず、他の記号等を表示してもよい。
【００５１】
なお、本発明は上記実施形態に限定されるものではなく、例えば、以下のように具体化してもよい。
（１）本発明に係る情報コードＣは、絵文字と異なる文字として、数字および英字に限らず、ひらがな、カタカナ等の他の種別の文字を利用することができる。この場合には、その種別の文字を利用可能にモード指示子を用意し、この種別のモード指示子を選択可能に情報コード読取処理等を実施することができる。
【００５２】
（２）本発明に係る情報コードＣは、ＱＲコードとして構成されることに限らず、他のコード種別の情報コード、例えば、バーコードやデータマトリックスコード、マキシコード等として構成されてもよい。
【００５３】
（３）本発明に係る情報コード読取装置は、カメラ機能を有するスマートフォン等の携帯電話に対して所定のアプリケーションプログラムがインストールされることで携帯端末２０として構成されることに限らず、例えば、専用の携帯端末として構成されてもよいし、据え置き型の読取装置として構成されてもよい。
【符号の説明】
【００５４】
１０…情報コード読取システム
２０…携帯端末（情報コード読取装置）
２１…制御部（デコード手段，制御手段）
２２…撮像部（撮像手段）
２３…記憶部
２５…表示部（表示手段）
Ｃ…情報コード
【図１】
2015130130.tif 000003
【図２】
2015130130.tif 000004
【図３】
2015130130.tif 000005
【図４】
2015130130.tif 000006
【図５】
2015130130.tif 000007
【図６】
2015130130.tif 000008
【図７】
2015130130.tif 000009
【図８】
2015130130.tif 000010
【図９】
2015130130.tif 000011